(57)【要約】【目的】電動送風機の装置への装着・取外しが容易で、コネクタ等の接続・取外しも同時に行える電動送風機の固定構造を提供する。  【構成】この発明による電動送風機の固定構造は、プロペラファンが内側に装着された枠体２１を持つ電動送風機本体２を保持体３に装填して組み立てられた電動送風機１と、平板状の壁部６と筐体側コネクタ７とを持つ筐体５を備える。保持体３の側壁部３１の端部に一対の爪状体３２が、側壁部３１の一つの側面に電動送風機１の絶縁電線２９が接続される圧接式コンタクトがモールドされた端子台部４が形成される。壁部６には電動送風機１が取付けられる部位に爪状体３２をスナップフィットにより掛止させる貫通孔６１が形成され、筐体側コネクタ７のソケットコンタクトは、圧接式コンタクトの端部のピン状部に対峙される位置となるように配置される。【選択図】        図１
2005273589.tif 000002
【特許請求の範囲】
【請求項１】
複数の貫通孔が形成されて電動送風機が取付けられる筐体の平板状の壁部に装着されたソケットコンタクトを持つ筐体側コネクタと、前記貫通孔にスナップフィットにより掛止される複数の爪状体，および前記筐体側コネクタのソケットコンタクトと嵌り合うピン状部が形成された圧接式コンタクトを持つ電源用の端子台部を有する前記電動送風機とを備え、前記筐体側コネクタのソケットコンタクトは電動送風機の前記爪状体が前記貫通孔にスナップフィットにより掛止される際に，前記圧接式コンタクトのピン状部に対峙されることになる位置に配置されることを特徴とする電動送風機の固定構造。
【請求項２】
請求項１に記載の電動送風機の固定構造において、前記電動送風機は前記爪状体を前記貫通孔にスナップフィットにより掛止する方向に対してほぼ平行する方向に空気を送風する羽根車を持つ電動送風機であり、羽根車の送風方向にほぼ直交する反爪状体側の面が正方形であると共に側壁部が筒状をした直方体状の外形の枠体を持つ送風機本体と、角筒状の形状を持ち端部に前記爪状体が形成された側壁部と，ガード体が形成されると共に正方形の形状を持つ反爪状体側の前面壁部とを持ち，これ等の側壁部と前面壁部とで囲まれた空間内に前記送風機本体を爪状体側から着脱自在に収納する保持体とを備え、前記端子台部はこの保持体の側壁部の外面側に形成されることを特徴とする電動送風機の固定構造。
【請求項３】
請求項２に記載の電動送風機の固定構造において、複数の前記送風機本体を前記保持体内に並列に収納し、前記圧接式コンタクトの圧接部を深く形成し、各送風機本体の複数の電線を前記圧接部に挿入したことを特徴とする電動送風機の固定構造。
【発明の詳細な説明】
【技術分野】
【０００１】
この発明は、半導体素子などの発熱源を内蔵する装置に装着されて冷却空気を供給する電動送風機の固定構造に関するものである。
【背景技術】
【０００２】
半導体素子などの発熱源を内蔵する装置として半導体変換装置などの各種装置が知られているが、このような発熱源を内蔵する装置では、多くの場合に冷却空気を供給する電動送風機が備えられている。ところが電動送風機は一般に前記各種装置などと対比して短寿命のために適宜の時期に保守点検を繰り返す必要がある。このために、各種装置に電動送風機を装着するのに当たり、電動送風機の装置への装着・取外しを容易に行えるようにしたものがある（例えば、特許文献１参照。)。また、各種装置への電動送風機の装着・取外し際しての、電動送風機に電源を供給するコネクタ・電線類の取扱いを改善したものもある（例えば、特許文献２参照。)。
【特許文献１】特開平１１−３４０６６５号公報 （第３頁、第１図，第２図）
【特許文献２】特開２００２−２４６７８１号公報 （第３頁、第１−４図）
【発明の開示】
【発明が解決しようとする課題】
【０００３】
電動送風機は前記したように各種装置への装着・取外しを繰り返す必要があるので、この電動送風機の装着・取外しに際しては、装着・取外し作業が容易であると共に、電動送風機に電源を供給するコネクタ・電線類の取扱いも容易である必要がある。しかしながら、前述した従来技術による電動送風機の固定構造では、「特許文献１」に開示されたものでは、スナップフィットにより掛止を行う爪状体を備えることで電動送風機の装着・取外しを容易に行えるようにする構成が示されているが、コネクタ・電線類については何ら示されていない。「特許文献２」に開示されたものでは、電動送風機の装着にはねじが用いられており、また、電動送風機の装着・取外し作業とコネクタの接続・取外し作業とを同時に行うことができないので、電動送風機の装着・取外しが容易であるとは言い難い。したがってこの発明の目的は、電動送風機の装置への装着・取外しが容易で、コネクタ等の接続・取外しも同時に行える電動送風機の固定構造を提供することにある。
【課題を解決するための手段】
【０００４】
この発明では前述の目的は、
１）複数の貫通孔が形成されて電動送風機が取付けられる筐体の平板状の壁部に装着されたソケットコンタクトを持つ筐体側コネクタと、前記貫通孔にスナップフィットにより掛止される複数の爪状体，および前記筐体側コネクタのソケットコンタクトと嵌り合うピン状部が形成された圧接式コンタクトを持つ電源用の端子台部を有する前記電動送風機とを備え、前記筐体側コネクタのソケットコンタクトは電動送風機の前記爪状体が前記貫通孔にスナップフィットにより掛止される際に，前記圧接式コンタクトのピン状部に対峙されることになる位置に配置されること、または、
２）前記１項に記載の手段において、前記電動送風機は前記爪状体を前記貫通孔にスナップフィットにより掛止する方向に対してほぼ平行する方向に空気を送風するプロペラ状の羽根車を持つ電動送風機であり、羽根車の送風方向にほぼ直交する反爪状体側の面が正方形であると共に側壁部が筒状をした直方体状の外形の枠体を持つ送風機本体と、角筒状の形状を持ち端部に前記爪状体が形成された側壁部と，ガード体が形成されると共に正方形の形状を持つ反爪状体側の前面壁部とを持ち，これ等の側壁部と前面壁部とで囲まれた空間内に前記送風機本体を爪状体側から着脱自在に収納する保持体とを備え、前記端子台部はこの保持体の側壁部の外面側に形成されること、さらに
３）前記２項に記載の手段において、複数の前記送風機本体を前記保持体内に並列に収納し、前記圧接式コンタクトの圧接部を深く形成し、各送風機本体の複数の電線を前記圧接部に挿入したことにより達成される。
【発明の効果】
【０００５】
この発明による電動送風機の固定構造では、前記課題を解決するための手段の項で述べた構成とすることで、電動送風機の筐体の壁部への装着作業を、電動送風機の爪状体を壁部の貫通孔に挿入して掛止させることのみで容易に行うことができる。この時、端子台部と筐体側コネクタとの接続は、端子台部の圧接式コンタクトのピン状部と，筐体側コネクタのソケットコンタクトとの位置関係が前述の関係にあることで何らの追加作業を必要とすること無しに、ピン状部が筐体側コネクタのソケットコンタクトに嵌め込まれることで同時に行われる。また、電動送風機の筐体の壁部からの取外し作業を、爪状体を手指などにより一時的に内側に押し込み、この状態で電動送風機を手で持つなどして引き抜いて、爪状体を貫通孔から抜き出すことで容易に行うことができる。この時、端子台部と筐体側コネクタとの接続関係は、端子台部の圧接式コンタクトのピン状部が筐体側コネクタのソケットコンタクトから抜き出されることで、何らの追加作業を必要とすること無しに同時に解除される。すなわち、この発明による電動送風機の固定構造では、電動送風機の筐体への装着・取外しに際し、その作業が容易であり、端子台部と筐体側コネクタとの間の接続・取外しも同時に行え、また、これ等の作業において何らの工具も必要としないとの効果を得られる。
【０００６】
さらに、複数の電動送風機の筐体の壁部への装着作業も１台の電動送風機の場合と同じように容易に行うことができ、１つの圧接式コンタクトで電線接続を行うことができるので、省スペースとコストダウンが図れる。
【発明を実施するための最良の形態】
【０００７】
以下この発明を実施するための最良の形態を図面を参照して詳細に説明する。図１は後記する図２による電動送風機の固定構造の展開斜視図であり、図２はこの発明の実施の形態の一例による電動送風機の固定構造の概要を示す側面図であり、図３は図１のＡ部の、（ａ）は図１におけるＰ矢視図、（ｂ）は図３（ａ）のＲ矢視図、（ｃ）は図３（ｂ）のＳ−Ｓ断面図である。図１〜図３において、１は、電動送風機本体２と保持体３とを備えたこの発明による電動送風機であり、５は、壁部６と筐体側コネクタ７とを備えたこの発明による筐体である。
電動送風機本体２は、プロペラ状の羽根車を持つ電動送風機であるプロペラファン（不図示）が内側に装着された枠体２１を有しており、プロペラファンに電源を供給する絶縁電線（より線）２９（この事例の場合には２本）が備えられている。枠体２１は、この事例の場合には、プロペラファンの空気９の送風方向（図２に白抜き矢印で示す。）に平行する筒状体であると共に直方体状の外形を持つ側壁部２２と、プロペラファンの空気９の送風方向に直交する正方形の面を持つ前面壁部２３とにより有底筒状体として合成樹脂材を用いて形成されている。前面壁部２３には空気９を通流させる貫通孔２４が形成されている。
【０００８】
保持体３は、この事例の場合には、側壁部３１と前面壁部３５とにより有底筒状体として、ＡＢＳ材などの合成樹脂材を用いて形成されている。この側壁部３１は筒状断面の形状が正方形で直方体状の外形を持ち、その一方の端部３１ａには一対の爪状体３２，３２が、また、爪状体３２が形成されていない側面の一方には、絶縁電線２９の引回しを容易にするための切欠き部３３が形成されている。爪状体３２は爪状体３２が形成された側壁部３１の側面に直交する方向に弾性的に撓むことができるアーム部３２ａと、アーム部３２ａの先端部に形成された顎部３２ｂとを持っている。また、側壁部３１の切欠き部３３が形成された側面には、絶縁電線２９を接続するための端子台部４が備えられている。
前面壁部３５は正方形の形状を持ち、手指などを保護するためのガード体３７が一体に備えられた空気９の通流用の貫通孔３６が形成されている。保持体３は側壁部３１と前面壁部３５とで端部３１ａ側が開口された空間を形成しており、この空間内に端部３１ａ側から電動送風機本体２を着脱自在に収納できる寸法・形状とされている。端子台部４は図３に詳細に示したように、圧接式コンタクト４１，４１と絶縁台４６とを備えている。圧接式コンタクト４１は、この事例の場合には、金属材を用いてＬ字状に形成され、絶縁電線２９が接続される一方の端部に絶縁電線２９を圧接により接続するための狭い溝４２が形成され、他方の端部にはピン状に形成されたピン状部４３が形成されている。
【０００９】
絶縁台４６はＡＢＳ材などの合成樹脂材を用いて形成されており、それぞれの圧接式コンタクト４１の位置に対応させて、絶縁電線２９を案内するＵ字状の溝４７，４７が形成されている。端子台部４の場合に圧接式コンタクト４１，４１は、絶縁台４６の成形時に一体にモールドインされている。また端子台部４は、保持体３の端子台部４を除く部分と一体にモールドインされることで形成されてもよいし、また、保持体３の端子台部４を除く部分とは別体品として一旦成形し、保持体３の端子台部４を除く部分の成形品と接着法などの適宜の方法で一体化してもよい。そうして、保持体３に電動送風機本体２を端部３１ａ側から装填し、絶縁電線２９を端子台部４の溝４７に挿入して圧接式コンタクト４１と電気的に接続することで、電動送風機１が組み立てられる。その際、絶縁電線２９の長さを極力短く調整することが好ましい場合があり、この結果余分となった絶縁電線２９の部分が生じた場合には、この部分をニッパなどを用いて切除する。
【００１０】
筐体５の平板状の壁部６は、電動送風機１が取付けられる部位に、貫通孔６１，６１が電動送風機１の爪状体３２と対向する位置に形成されると共に、空気９を通流させる貫通孔６２が形成されている。この貫通孔６１は爪状体３２の顎部３２ｂをスナップフィットにより掛止させる。筐体側コネクタ７は圧接式コンタクト４１と同数のソケットコンタクト（不図示）を持つコネクタ｛例えば、ＳＭコネクタ(日本圧着端子製造株式会社商品名)シリーズのＳＭＰ形コネクタ｝であり、筐体側コネクタ７に前記ＳＭＰ形コネクタが用いられる場合には、ソケットコンタクトは圧着型のコンタクトになり、筐体側コネクタ７は壁部６にスナップフィットにより取付けられる。
なお関連するのでここで説明すると、端子台部４の圧接式コンタクト４１のピン状部４３は、筐体側コネクタ７にＳＭＰ形コネクタが用いられる場合には、ＳＭＰ形コネクタのソケットコンタクトと嵌り合えるピンコンタクトのピン状部の形状寸法と同等であることが好ましい。そうして、筐体側コネクタ７はそのソケットコンタクトが、電動送風機１の爪状体３２が貫通孔６１にスナップフィットにより掛止される際に、ピン状部４３に対峙される位置となるように配置される。
【００１１】
図１〜図３に示すこの発明の実施の形態の一例による電動送風機の固定構造では前述の構成としたので、電動送風機１の筐体５の壁部６への装着作業は、電動送風機１の爪状体３２の顎部３２ｂを壁部６の貫通孔６１に挿入し、顎部３２ｂを貫通孔６１に掛止させることのみで容易に行うことができる。この時、端子台部４と筐体側コネクタ７との接続は、端子台部４の圧接式コンタクト４１のピン状部４３と，筐体側コネクタ７のソケットコンタクトとの位置関係が前述の関係にあることで何らの追加作業を必要とすること無しに、ピン状部４３が筐体側コネクタ７のソケットコンタクトに嵌め込まれることで同時に行われる。顎部３２ｂの貫通孔６１への掛止は、爪状体３２のアーム部３２ａが弾性的に撓むことができることで、顎部３２ｂが貫通孔６１に挿入され始めた時点ではアーム部３２ａが一旦内側に撓み、顎部３２ｂが貫通孔６１から抜け出た時点でアーム部３２ａが元の状態に戻って顎部３２ｂが貫通孔６１に確実に掛止されることになる。
【００１２】
また、電動送風機１の筐体５の壁部６からの取外し作業は、爪状体３２の顎部３２ｂを手指などにより一時的に内側に押し込み、この状態で電動送風機１を手で持つなどして引き抜いて、顎部３２ｂを貫通孔６１から抜き出すことで容易に行うことができる。この時、端子台部４と筐体側コネクタ７との接続関係は、端子台部４の圧接式コンタクト４１のピン状部４３が筐体側コネクタ７のソケットコンタクトから抜き出されることで、何らの追加作業を必要とすること無しに、同時に解除される。すなわち、この発明による電動送風機１と筐体５の構造は、電動送風機１の筐体５への装着・取外しに際し、その作業が容易であり、端子台部４と筐体側コネクタ７との間の接続・取外しも同時に行える。また、電動送風機１が交換されるなどの場合を除いては、何らの工具も必要としない。なおまた、電動送風機１が新規品や交換品の場合であっても、必要となる工具は一般的な工具のニッパなどだけで済むので、特別な工具類の準備は基本的に不要である。
【００１３】
次に、複数の電動送風機を筐体に固定する場合の実施例について説明する。図４は複数の電動送風機を筐体に固定する場合の固定構造の展開斜視図であり、図５は複数の電動送風機の絶縁電線を圧接式コンタクトの溝に挿入する場合の説明図である。
図４，図５において、図１〜図３と同じ構成要素は同じ符号で示されているが、図１〜図３と相違する個所は、２台の電動送風機本体２ａ，２ｂが設けられており、この２台の電動送風機本体２ａ，２ｂを収納するために、保持体３が横方向に拡張されている点である。そうして、保持体３には、拡張に伴って空気９の通流用の貫通孔３６ａ，３６ｂが設けられているが、端子台部４は共通に設けられている。
端子台部４は、図３に示した他の実施例と同一の構成であり、この実施例においては、端子台部４に設けられた溝４７に２台の電動送風機本体２ａ，２ｂの絶縁電線２９ａ１，２９ａ２，２９ｂ１，２９ｂ２が挿入され、図３と同様にして電気的に接続が行われる。
【００１４】
前述の説明では、電動送風機１が備える送風機はプロペラファンであるとしてきたが、これに限定されるものではなく、例えば、多翼ファン（シロッコファン）であってもよい。
【図面の簡単な説明】
【００１５】
【図１】この発明による電動送風機の固定構造の展開斜視図である。
【図２】この発明の実施の形態の一例による電動送風機の固定構造の概要を示す側面図である。
【図３】図１のＡ部の、（ａ）は図１におけるＰ矢視図、（ｂ）は図３（ａ）のＲ矢視図、（ｃ）は図３（ｂ）のＳ−Ｓ断面図である。
【図４】この発明による電動送風機の固定構造の他の実施例を示す展開斜視図である。
【図５】図４に示す電動送風機の絶縁電線を圧接式コンタクトの溝に挿入する場合の説明図である。
【符号の説明】
【００１６】
１    電動送風機
２    電動送風機本体
２１  枠体
２９  絶縁電線
３    保持体
３１  側壁部
３２  爪状体
４    端子台部
５    筐体
６    壁部
６１  貫通孔
７    筐体側コネクタ
【図１】
2005273589.tif 000003
【図２】
2005273589.tif 000004
【図３】
2005273589.tif 000005
【図４】
2005273589.tif 000006
【図５】
2005273589.tif 000007